(57)【要約】【課題】げっぷや吐き出しを軽減し、分解組み立ての簡便な哺乳器を提案する。【解決手段】の縮減を可能とするパックと、このパック内の内容物を排出する乳首とを備えた哺乳器において、上端開口および下端開口をそれぞれ有しその内壁面に両端に向かって伸延するらせん溝を有する容器本体と、この容器本体の上端開口に固定保持される乳首と、前記パックを内挿する空間領域を備えその対向側壁にそれぞれ哺乳器の長手方向に沿って開口する切り欠を有するホルダーと、このホルダーの内側に配置され該切り欠を貫いて外側に突出する少なくとも２つのガイドを有し該切り欠に沿ってスライド可能な中皿とをそれぞれ設け、前記ホルダーを中皿とともに容器本体の下端開口より挿入して中皿のガイドを容器本体の内壁面のらせん溝に係合させ、前記容器本体に、該容器本体の回転を許容して係合保持されその下端開口を閉塞する底蓋を設ける。【選択図】　　　　図１
2004016487.tif 000002
【特許請求の範囲】
【請求項１】
ミルクや果汁等の内容物を充填しその消費量に応じて内容積の縮減を可能とするパックと、このパック内の内容物を排出する乳首とを備えた哺乳器であって、
上端開口および下端開口をそれぞれ有しその内壁面に両端に向かって伸延するらせん溝を有する容器本体と、この容器本体の上端開口に固定保持される乳首と、前記パックを内挿する空間領域を備えその対向側壁にそれぞれ哺乳器の長手方向に沿って開口する切り欠を有するホルダーと、このホルダーの内側に配置され該切り欠を貫いて外側に突出する少なくとも２つのガイドを有し該切り欠に沿ってスライド可能な中皿とを備え、
前記ホルダーを中皿とともに容器本体の下端開口より挿入して中皿のガイドを容器本体の内壁面のらせん溝に係合してなり、
前記容器本体に、該容器本体の回転を許容して係合保持されその下端開口を閉塞する底蓋を設けたことを特徴とする哺乳器。
【請求項２】
底蓋の係合保持が、該底蓋の側壁に弾性支持される係止片によるものである請求項１記載の哺乳器。
【請求項３】
係止片はその押圧に伴う弾性的な変位によって容器本体との係合保持を解除するものである、請求項２記載の哺乳器。
【発明の詳細な説明】
【０００１】
【発明の属する技術分野】
本発明は哺乳器に関するものであり、授乳後のげっぷや吐き出しを効果的に軽減するとともに分解、組み立ての簡便化を図ろうとするものである。
【０００２】
【従来の技術】
従来の哺乳瓶は、その内部にミルクの他に空気が入っているため、授乳の際、その空気が気泡となってミルクとともに飲み込まれ、これがげっぷや吐き出しの原因になっている。
【０００３】
げっぷや吐き出しを防止するには、哺乳瓶の中に存在する空気を抜き出すのが最も効果的であり、この点に関する先行技術としては、国際公開に係わるＷＯ９８／３８９６３号パンフレットに開示された哺乳器が参照される。
【０００４】
かかるパンフレットに開示された哺乳器は、内容積を内容物の量に応じて減少させることができるパック（減容パック）をホルダーの内部に配置し、ホルダーに取り付けられたアップガイドにより該パックを押し潰すことによってパック内の空気を押し出す構造のものであって、これによれば、乳児は気泡をミルクと一緒に飲み込むのを避けることができるので、げっぷや吐き出しに対しては極めて有効な手段であるとされている。
【０００５】
しかしながら、この哺乳器は、アップガイドを固定するための手段がないため授乳中に該アップガイドを誤作動させてしまうおそれがあること、また、授乳を一たん中止しすべく哺乳器を引き起こしたとき、アップガイドはその自重でもって哺乳器の底部に簡単にスライドしてしまうことからパックのバキューム効果によってその内部に空気が侵入することも懸念され、授乳を再開するに当たっては、再度、アップガイドによる空気の排出を行う必要があり操作性の面で多少の改善の余地が残されている。
【０００６】
さらにこの哺乳器は、ミルクを入れるパックは使い捨てタイプであることからとくに問題はないものの、アップガイドの誤作動によってミルクがこぼれてホルダーの内側やアップガイドの中皿に付着、固化した場合に洗浄しにくいという不具合もある。
【０００７】
【発明が解決しようとする課題】
本発明の課題は、授乳の際に従来避けられなかったげっぷや吐き出しを確実な操作でもって防止するとともに、分解、組み立ての簡素化により各構成部品を個別に洗浄できるようにし常に高い衛生状態に維持できる新規な哺乳器を提案するところにある。
【０００８】
【課題を解決するための手段】
この発明は、ミルクや果汁等の内容物を充填しその消費量に応じて内容積の縮減を可能とするパックと、このパック内の内容物を排出する乳首とを備えた哺乳器であって、
上端開口および下端開口をそれぞれ有しその内壁面に両端に向かって伸延するらせん溝を有する容器本体と、この容器本体の上端開口に固定保持される乳首と、前記パックを内挿する空間領域を備えその対向側壁にそれぞれ哺乳器の長手方向に沿って開口する切り欠を有するホルダーと、このホルダーの内側に配置され該切り欠を貫いて外側に突出する少なくとも２つのガイドを有し該切り欠に沿ってスライド可能な中皿とを備え、
前記ホルダーを中皿とともに容器本体の下端開口より挿入して中皿のガイドを容器本体の内壁面のらせん溝に係合してなり、
前記容器本体に、その下端開口を閉塞するとともにホルダーを受ける受け部を有する底蓋を設けたことを特徴とする哺乳器である。
【０００９】
底蓋は、該底蓋の側壁に弾性支持され容器本体に係合して該底蓋を容器本体の下端開口に装着する係止片を有するものが好適であり、押圧に伴う弾性的な変位によって係合を解除するのが望ましい。
【００１０】
【発明の実施の形態】
以下、図面を参照して本発明をより具体的に説明する。
【００１１】
図１は本発明に従う哺乳器の構成を示した図であり、図２は図１に示した哺乳器の分解斜視図であり、図３〜図６は図１に示した哺乳器の構成部材を単品でそれぞれ示したものである。
【００１２】
図１〜６において１は容器本体であり、この容器本体１は上端開口１ａおよび下端開口１ｂを有しその内壁面に両端に向かって伸延するらせん溝１ｃが設けられている。
【００１３】
また、２は内容物を排出する乳首（天然ゴムやシリコンゴムからなる）である。この乳首２はアダプタ２ａを介して容器本体１の上端開口１ａに固定保持される。
【００１４】
３はミルクや果汁等の内容物を充填しそれを押し潰すことで減容させる薄肉のパック、４はパック３を内挿する空間領域を備えその対向側壁にそれぞれ哺乳器の長手方向に沿って開口する切り欠４ａを有するホルダー、５はホルダー４の内側に配置される中皿である。この中皿５は該切り欠４ａを貫いて外側に突出するガイド５ａを有していて、このガイド５ａは容器本体１のらせん溝１ｃに係合している。
【００１５】
６は図４において示した如くホルダー４の下端部において間隔をおいて一体的に設けられた複数凸部であり、この凸部６の相互間にて縦溝ｍ　を形成する。７は容器本体１の下端開口１ｂを閉塞する底蓋であって、この底蓋７には図５に示すようにホルダー４の下端部において設けられた縦溝ｍ　に嵌まり込む凸部７ａが設けられており、その側壁には先端に爪部を有し容器本体１の回転を許容して該容器本体１の下端開口１ｂに係合保持される係止片７ｂが設けられている。
【００１６】
底蓋７を把持して容器本体１をその軸心の周りに回転させるとらせん溝１ｃによってガイド５ａが誘導されそれに伴い中皿５が切り欠４ａに沿って直線的に移動する。
【００１７】
パック３に内容物を入れて乳首２を装着した上掲図１に示すような状態においては、その上部空間には空気が存在するため、このまま授乳すると、内容物とともに気泡が飲み込まれるため、げっぷや吐き出しを避けることはできない。
【００１８】
このため、まず、内容物をパック３に充填したならば容器本体１を回転させて中皿５を乳首２に向けて移動させ図７の如く該中皿５にてパック３を押し潰し、パック３の上部空間に存在する空気を乳首２を通して排出する。この状態で授乳を開始すれば気泡を飲み込むことはないのでげっぷや吐き出しを起こすことはない。
【００１９】
パック３内の空気を排出した後において、例えば授乳をせずに保管しておくような必要性が生じた場合においても中皿５は常にパック３を押し潰した状態で容器本体に位置決めされているので、再びパック３内の空気を排出する操作はいらない。
【００２０】
授乳を一たん中止する時は、ミルクを消費した分だけ中皿５を乳首２に向けて移動させておけばよく、哺乳器を引き起こしてもパック３内に空気が侵入することはなく授乳をすぐさま再開できる。
【００２１】
哺乳器を洗浄するに当たっては、底蓋７の係止片７ｂの下端を図８のように押圧して弾性的に変位させる。これにより該底蓋７の容器本体１対する係合保持が解除されることになるため、図９、図１０に示す如く該底蓋７を引き抜くだけで下端開口１ｂからホルダー４、中皿５を簡単に取り出すことが可能となり、哺乳器を構成する各部材を個別に洗浄できることになる。
【００２２】
パック３は肉厚が０．１ｍｍ程度になるポリエチレンのブロー成形品を用いることができるが、本発明はこれにのみに限定されるものではなく、例えば蛇腹形状のものやパウチ等、容積を減容させることができるものの適用が可能であり、容器の形態（単層あるいは積層構造等）や厚さ等にはとくに制限はない。また、その成形方法はブロー成形の他、シート成形等の既知の成形方法を採用することができる。パック１の材質はポリエチレンのみに限定されない。
【００２３】
また、乳首を除くその他の構成部材については、ポリプロピレン等の合成樹脂を射出成形したものを適用できるが材質や成形法に制限はない。
【００２４】
【発明の効果】
本発明によれば、哺乳器内に存在する空気を簡単な操作でもって排出することができるので、授乳後において従来避けられなかったげっぷや吐き出しを防止できる。
【００２５】
また、本発明によれば、哺乳器を構成する部材を簡単に分解、組み立てできるので、かかる構成部材の個別的な洗浄が可能であって良好な衛生状態に維持できる。
【図面の簡単な説明】
【図１】本発明に従う哺乳器の構成説明図である。
【図２】図１に示した哺乳器の分解斜視図である。
【図３】容器本体を示した図である。
【図４】ホルダーを示した図である。
【図５】（ａ）〜（ｄ）は底蓋を示した図である。
【図６】（ａ）（ｂ）は中皿を示した図である。
【図７】図１に示した哺乳器の使用状態を示した図である。
【図８】哺乳器の分解要領の説明図である。
【図９】哺乳器の分解要領の説明図である。
【図１０】哺乳器の分解要領の説明図である。
【符号の説明】
１　容器本体
１ａ　上端開口
１ｂ　下端開口
１ｃ　らせん溝
２　乳首
２ａ　アダプタ
３　パック
４　ホルダー
４ａ　切り欠
５　中皿
５ａ　ガイド
６　凸部
７　底蓋
７ａ　凸部
７ｂ　係止片
【図１】
2004016487.tif 000003
【図２】
2004016487.tif 000004
【図３】
2004016487.tif 000005
【図４】
2004016487.tif 000006
【図５】
2004016487.tif 000007
【図６】
2004016487.tif 000008
【図７】
2004016487.tif 000009
【図８】
2004016487.tif 000010
【図９】
2004016487.tif 000011
【図１０】
2004016487.tif 000012